(57)【要約】【課題】合成繊維付きはたきに帯電して付着した塵埃を、衛生的で完全に除去できるようにする。【解決手段】中空体の一方に開口部を有し、他方に筒状吸引部を有する電気掃除機用の脱塵補助具において、開口部を成繊維付きはたきと隙間をもって挿入自在に形成するとともに、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成する。【選択図】        図１
2004242731.tif 000002
【特許請求の範囲】
【請求項１】
中空体の一方に開口部を有し、他方に筒状吸引部を有する電気掃除機用の脱塵補助具において、開口部を合成繊維付きはたきと隙間をもって挿入自在に形成するとともに、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成したことを特徴とする電気掃除機用の脱塵補助具。
【請求項２】
中空体の一方に開口部を有し、他方に筒状吸引部を有する電気掃除機用の脱塵補助具において、開口部を合成繊維付きはたきと隙間をもって挿入自在に形成するとともに開口部より吸引部の断面積を小さく形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成したことを特徴とする電気掃除機用の脱塵補助具。
【請求項３】
中空体の一方に開口部を有し、他方に筒状吸引部を有する電気掃除機用の脱塵補助具において、開口部を合成繊維付きはたきと隙間をもって挿入自在に形成するとともに開口部の断面を円形または楕円形に形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成したことを特徴とする電気掃除機用の脱塵補助具。
【請求項４】
中空体の一方に開口部を有し、他方に筒状吸引部を有する電気掃除機用の脱塵補助具において、開口部を合成繊維付きはたきと隙間をもって挿入自在に形成するとともに開口部の吸引部側にストッパーを形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成したことを特徴とする電気掃除機用の脱塵補助具。
【請求項５】
中空体の一方に開口部を有し、他方に筒状吸引部を有する電気掃除機用の脱塵補助具において、開口部を合成繊維付きはたきと隙間をもって挿入自在に形成するとともに開口部の外周部に電気掃除機への取り付け部を形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成したことを特徴とする電気掃除機用の脱塵補助具。
【請求項６】
中空体の一方に開口部を有し、他方に筒状吸引部を有する電気掃除機用の脱塵補助具において、開口部を合成繊維付きはたきと隙間をもって挿入自在に形成するとともに開口部の外周部に壁掛けまたは固定取り付け部を形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成したことを特徴とする電気掃除機用の脱塵補助具。
【発明の詳細な説明】
【０００１】
【発明の属する技術分野】
本発明は、静電気により帯電して合成繊維付きはたきに付着した塵埃を、吸引型電気掃除機により除去する脱塵補助具に関するものである。
【０００２】
【従来の技術】
合成繊維付きはたきは、帯電した合成繊維に塵埃を付着させるようにしたものであるから、狭いスペースや複雑な形状の部分の塵埃を吸着して除去するには、電気掃除機のような特別のアタッチメントがなくても手軽に、しかも隈なく塵埃を除去することができる。
【０００３】
その半面で、合成繊維付きはたきに付着した塵埃を除去するためには、はたきを叩いたり除電したりするなど、完全に塵埃を除去するのに苦心することが多い。このような課題を解決するために、従来では筒状体の開口部側に帯電除去部材を配置して、合成繊維付きはたきに付着した塵埃を帯電除去することによって、筒内部に落下させてから吸い取るようにしている（たとえば、特許文献１参照）。
【０００４】
【特許文献１】
特開平８−３３６４９４号公報（図５参照）
【０００５】
【発明が解決しようとする課題】
合成繊維付きはたきに付着した塵埃を除去するため、はたきを叩くことは付着した塵埃を飛び散らし不衛生である上、完全に塵埃を除去できないことが多い。一方、除電するためには特別の帯電除去部材などが必要になり、余分なスペースと経費が必要になるなど、完全に塵埃を除去するのに苦心することが多く、煩雑であるという課題がある。
【０００６】
本発明は、帯電した合成繊維に付着した塵埃を、特別のアタッチメントがなくても手軽にしかも隈なく、狭いスペースや複雑な形状の部分の塵埃を吸着させて除去することができる、電気掃除機用の脱塵補助具を提供することを目的とする。
【０００７】
【課題を解決するための手段】
本発明は、上記課題を解決するために、請求項１に記載の発明によれば、中空体の一方に開口部を有し、他方に筒状吸引部を有する電気掃除機用の脱塵補助具において、開口部を合成繊維付きはたきと隙間をもって挿入自在に形成するとともに、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成している。
【０００８】
また、請求項２に記載の発明によれば、中空体の一方に開口部を有し、他方に筒状吸引部を有する電気掃除機用の脱塵補助具において、開口部を合成繊維付きはたきと隙間をもって挿入自在に形成するとともに開口部より吸引部の断面積を小さく形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成している。
【０００９】
さらに、請求項３に記載の発明によれば、中空体の一方に開口部を有し、他方に筒状吸引部を有する電気掃除機用の脱塵補助具において、開口部を合成繊維付きはたきと隙間をもって挿入自在に形成するとともに開口部の断面を円形または楕円形に形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成している。
【００１０】
さらに、請求項４に記載の発明によれば、中空体の一方に開口部を有し、他方に筒状吸引部を有する電気掃除機用の脱塵補助具において、開口部を合成繊維付きはたきと隙間をもって挿入自在に形成するとともに開口部の吸引部側にストッパーを形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成している。
【００１１】
さらに、請求項５に記載の発明によれば、中空体の一方に開口部を有し、他方に筒状吸引部を有する電気掃除機用の脱塵補助具において、開口部を合成繊維付きはたきと隙間をもって挿入自在に形成するとともに開口部の外周部に電気掃除機への取り付け部を形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成している。
【００１２】
さらに、請求項６に記載の発明によれば、中空体の一方に開口部を有し、他方に筒状吸引部を有する電気掃除機用の脱塵補助具において、開口部を合成繊維付きはたきと隙間をもって挿入自在に形成するとともに開口部の外周部に壁掛けまたは固定取り付け部を形成し、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成している。
【００１３】
【発明の実施の形態】
以下、本発明の一実施の形態について、図面を参照して詳細に説明する。図１において、電気掃除機用の脱塵補助具Ａは、中空体からなる筒１の一方に開口部２を形成し、他方に筒状吸引部３を電気掃除機の吸引パイプに対応させて形成してある。脱塵補助具Ａの一実施形態の具体的な大きさは、中空体の長さは３５ｃｍ位で、開口部２の直径は９〜１０ｃｍぐらいで、筒状吸引部３の外形は３〜３．５センチぐらいに形成される。開口部２には合成繊維付きはたきが挿入され、筒状吸引部３は電気掃除機の吸引側連結部など、吸引装置の吸引部に結合される。
【００１４】
以下、このように構成される脱塵補助具Ａの作動方法について説明する。合成繊維付きはたきＢは、静電気によって帯電した塵埃が付着しており、開口部２から筒１に挿入される。この状態で、筒状吸引部３に結合された電気掃除機（図示しない）が作動されると、電気掃除機の吸引力によって開口部２側から空気が流れ込み、合成繊維付きはたきＢが同時に吸引される。
【００１５】
しかし、合成繊維付きはたきＢは、筒状吸引部３側へ吸引されないように、合成繊維付きはたきＢを操作する人が持っているから、そのまま吸引されることなく付着した塵埃だけが吸引されることになる。
【００１６】
即ち、筒１に合成繊維付きはたきＢが、所定の隙間をもって挿入されているから、合成繊維付きはたきＢと筒１との隙間を急速に空気が流れることによって、帯電により合成繊維付きはたきＢに塵埃が付着する力よりも、剥離しようとする力の方が大きくなり、従って塵埃だけが吸引される空気とともに、筒状吸引部３側に流れ去ることになる。
【００１７】
なお、開口部２の断面積は、合成繊維付きはたきＢに付着した塵埃を、筒状吸引部３で吸引できるような条件を考慮して決められるから、筒状吸引部３の断面積よりも大きくするのが通常であり、比較的大きい合成繊維付きはたきＢに対しても対応できる。しかし、吸引力が大きければ同一断面積であっても同一効果が得られる。
【００１８】
また、筒１の断面形状は合成繊維付きはたきＢの形状を考慮して決められるから、一般的には製造し易い円形または楕円形に形成されることが多い。しかし、八角形、六角形や四角形等であっても構成可能であることは容易に理解されるし、後述するように脱塵速度を早くするために、はたきを回転させるような場合には多角形が好ましい場合もある。
【００１９】
さらに、開口部２の奥、即ち筒状吸引部３側には、必要に応じて適宜ストッパー４が設置される。このように構成すれば操作する人が、合成繊維付きはたきＢを持っていなくても、筒１の筒状吸引部３側へ合成繊維付きはたきＢが、ストッパーに当接するので吸い込まれる虞がなくなる。このストッパー４は、必ずしも図の位置である必要はなく、筒１の中間部または開口部２の近辺であっても良い。その場合には、合成繊維付きはたきＢ側に、適宜ストッパー４との当接部が形成される。
【００２０】
さらに、筒状吸引部３は、適合する吸引装置に合わせてその形状が形成される。即ち電気掃除機で吸引する場合には、電気掃除機の吸引部の形状に対応する形状に形成され、単なる吸引機で吸引する場合には、その形状に対応する形状に形成される。
【００２１】
図２は、脱塵補助具Ａを電気掃除機の吸塵パイプＣに取り付けた実施形態を示している。この場合の取り付け部は、プラスチックで成形した弾性引っ掛け爪などの取付具１ａによって、吸塵パイプＣに引っ掛けたりベルトを使ったりして、着脱自在または固定して取り付けるようなものであっても良い。そして、通常の掃除機として使用する場合には、掃除ブラシＤからのみ吸引されて脱塵補助具Ａからは吸引されず、脱塵補助具Ａを使用する場合には、掃除ブラシＤから吸引しないように、公知の切り換え弁（図示しない）を作動させるための切り換えツマミＥを、切り換え操作するように構成されている。
【００２２】
図３は、脱塵補助具Ａを、所定の場所に吊り下げたり固定したりできるように、取り付け部１ｂを形成した実施形態を示している。このように構成すれば、脱塵補助具Ａを自在に持ち運んだり所定の場所に固定したり、自由な使用形態に対応することができるようになる。即ち、脱塵の際には脱塵補助具Ａを、掃除機と一緒に使用するためその保管場所に取り付けたり、合成繊維付きはたきＢを重点的に使用する場所に取り付けたりするような対応が可能である。
【００２３】
図４は、筒１の外周部に空気の流入穴１ｃを設けた実施形態を示すもので、空気の流入面積が開口部２側は比較的大きく、吸引部３側は小さくなるような穴を形成している。このようにすることによって、挿入されたはたきに付着した埃が、全体的に満遍なくかつ早く効率的に除去することができるようになる。
【００２４】
上記実施形態において、脱塵の効果を早くするために、筒の内部またははたきの挿入口に突起を設けたり、筒の内径を多角形にしたりして、はたきをしごいたり回転させたりするようにすることが好ましい。このようにすれば、はたきをしごいたり回転させたりした時に、突起や角の部分に、はたきの先端が突き当たって塵や埃が振り払われやすくなり脱落しやすくなる。
【００２５】
なお、本発明は、上記実施形態に限定されるものではなく、本発明の技術的思想の範囲内で、適宜変更して実施することができるものである。
【００２６】
【発明の効果】
以上のように、請求項１に記載の発明によれば、中空体の一方に開口部を有し、他方に筒状吸引部を有する電気掃除機用の脱塵補助具において、開口部を合成繊維付きはたきと隙間をもって挿入自在に形成するとともに、筒状吸引部を電気掃除機の吸引パイプに対応させて形成して、開口部に挿入した合成繊維付きはたきに帯電付着した塵埃を、筒状吸引部に接続した吸引型電気掃除機により強制的に吸引するように構成している。
【００２７】
従って、この発明にあっては、開口部に挿入した合成繊維付きはたきの塵埃を、筒状吸引部に接続した吸引型電気掃除機により強制的に吸引するように構成しているから、帯電除去部材を取り付ける必要がない上、合成繊維付きはたきを叩く必要がなく、衛生的に塵埃を除去することができるようになる。
【００２８】
また、請求項２に記載の発明によれば、開口部より吸引部の断面積を小さく形成するように構成している。
【００２９】
従って、この発明にあっては、筒状吸引部からの吸引力が、開口部に挿入された合成繊維付きはたきと開口部との隙間に作用して、強力に塵埃を吸引するので塵埃を短時間に除去することができる。
【００３０】
さらに、請求項３に記載の発明によれば、開口部の断面を円形または楕円形に形成するように構成している。
【００３１】
従って、この発明にあっては、通常使用される合成繊維付きはたきの形状に合わせて、一般的な造りやすい形状を採用しつつ効率的に塵埃を除去できるようになる。
【００３２】
さらに、請求項４に記載の発明によれば、開口部の吸引部側にストッパーを形成するように構成している。
【００３３】
従って、この発明にあっては、合成繊維付きはたきがストッパーに当接して吸引部に入り込まないから、吸引部の吸引力が減殺されることなく、正常に塵埃を除去することができるようになり、さらに操作する人がその都度、はたきを手で持つ必要がなく取り扱いが容易になる。
【００３４】
さらに、請求項５に記載の発明によれば、開口部の一部に電気掃除機への取り付け部を形成するように構成している。
【００３５】
従って、この発明にあっては、常時使用する電気掃除機に対応して、脱塵補助具を付随させておくことが可能になり、その都度脱塵補助具を持ち運んだり探したりすることなく、使い易い電気掃除機用の脱塵補助具を提供することができるようになる。
【００３６】
さらに、請求項６に記載の発明によれば、開口部の一部に壁掛けまたは固定取り付け部を形成するように構成している。
【００３７】
従って、この発明にあっては、常時使用する脱塵補助具を所定の位置に置き、掃除機の近くまたは脱塵補助具を重点的に使用する場所で、簡単に合成繊維付きはたきに付着した塵埃を除去することができるようになる。即ち、脱塵補助具を固定し、または持ち運ぶことによって適宜必要な位置に設置することが可能になる。
【００３８】
このように合成繊維付きはたきに付着した塵埃を除去するため、従来の方法のように、はたきを叩いたり帯電している塵埃の電荷を除去部材により取り除いたりして落下させた後これを吸い取るものに比べて、本発明では筒と合成繊維付きはたきとの隙間を貫流する空気の流れによって、強制的に除去するようにしたものである。
【００３９】
つまり、合成繊維付きはたきに付着した塵埃を、従来は、はたきを叩いて剥離し、または電荷を除去部材によって取り除き落下させてから吸塵するという技術的思想に基づくのに対して、本発明では筒と合成繊維付きはたきとの隙間を貫流する空気の流れによって強制的に除去するという技術的思想に基づくものであり、従来とは思想を異にしている。
【００４０】
その結果、この発明によれば、帯電除去部材など特別のアタッチメントがなくても、狭いスペースや複雑な形状の部分から、効率的に合成繊維付きはたきに付着した塵埃を、手軽にしかも隈なく除去することができる。
【図面の簡単な説明】
【図１】本発明の一実施の形態を示す説明図である。
【図２】本発明の第二の実施形態を示す説明図である。
【図３】本発明の第三の実施形態を示す説明図である。
【図４】本発明の第四の実施形態を示す部分断面図である。
【符号の説明】
１  筒
２  開口部
３  筒状吸引部
４  ストッパー
Ａ  脱塵補助具
Ｂ  合成繊維付きはたき
Ｃ  吸塵パイプ
Ｄ  掃除ブラシ
Ｅ  切り換えツマミ
【図１】
2004242731.tif 000003
【図２】
2004242731.tif 000004
【図３】
2004242731.tif 000005
【図４】
2004242731.tif 000006